(57)【要約】【課題】サッシレスドア開口部の周縁部における外観の悪化、シール性・遮音性の低下を防止する。【解決手段】ウェザーストリップ（１）は、基底部（１０）とシールリップ部（第１シールリップ部１２）とを備えており、ドア開口部閉状態においてシールリップ部（第１シールリップ部１２）を支持する突出部（１３）が形成されている。【選択図】図２
2018001828.tif 000002
【特許請求の範囲】
【請求項１】
自動車におけるサッシレスドア開口部の周縁部に取付けられるウェザーストリップであって、
上記周縁部に沿って固定される基底部と、
上記サッシレスドア開口部がサッシレスドアによって閉じられたドア開口部閉状態において、上記周縁部とドアガラスとの間をシールするためのシールリップ部と、を備えており、
上記基底部が上記周縁部に固定された状態において、車外側に向けて突出した突出部が形成されており、
上記突出部は、上記ドア開口部閉状態において上記シールリップ部に当接することにより、上記シールリップ部を支持することを特徴とするウェザーストリップ。
【請求項２】
上記突出部は、上記シールリップ部よりも固い弾性体で形成されていることを特徴とする請求項１に記載のウェザーストリップ。
【請求項３】
上記突出部の先端には、上記ドア開口部閉状態において上記シールリップ部に弾性的に当接する先端リップ部が形成されていることを特徴とする請求項１または２に記載のウェザーストリップ。
【請求項４】
上記ドア開口部閉状態において、上記シールリップ部の先端および上記先端リップ部の先端が、ともにドアガラスの進入方向を向いていることを特徴とする請求項３に記載のウェザーストリップ。
【請求項５】
上記突出部の背面が、車体のボディに当接していることを特徴とする請求項１から４のいずれか１項に記載のウェザーストリップ。
【発明の詳細な説明】
【技術分野】
【０００１】
本発明は、サッシレスドア型自動車のドア開口部の周縁部に取付けられるウェザーストリップに関する。
【背景技術】
【０００２】
従来から、ハードトップ車等のサッシレスドア型自動車に関し、その車体開口部の周縁部におけるシール性、遮音性等の向上を図るために、様々な構造を有するウェザーストリップの研究・開発が進められている。
【０００３】
例えば、特許文献１には、ベース部および中空リップを備えたドアウェザーストリップが開示されている。このドアウェザーストリップは、中空リップの中空部内にステイが設けられているとともに、当該ステイの中途部には、当該ステイと一体成形されて車室外方向に突出するリップが設けられている。また、ドアガラスの周縁部が中空リップにおける車室外方向のリップ支持壁に密着開始した後、リップの先端部が当該リップ支持壁を中空部の内側から押圧することによってドアガラスの周縁部とリップ支持壁との密着力をより高め、シール性・遮音性を向上させている。
【０００４】
また、特許文献２には、リアピラー部およびルーフ部を備えたリアドア用ウェザーストリップが開示されている。このリアドア用ウェザーストリップは、リアピラー部およびルーフ部の各基底部における室内側部分の先端にリップ状シール部が形成されているとともに、当該リップ状シール部における室内側の面には各基底部に向けて突出したリップ状の部位が形成されている。また、基底部と一体成形された中空シール部にドアガラスの上端が弾接した状態において、当該ドアガラスがリップ状シール部を室内側に押圧するとともに、この押圧に追従してリップ状シール部に形成されたリップ状の部位の先端が基底部に弾接し、当該先端に基底部からの反力が作用する。それゆえ、ドアガラスとリップ状シール部との密着力が高まり、シール性・遮音性が向上する。
【先行技術文献】
【特許文献】
【０００５】
【特許文献１】特開昭５９−１０６３２０号公報（１９８４年６月２０日公開）
【特許文献２】実開平４−７９７２１号公報（１９９２年７月１０日公開）
【発明の概要】
【発明が解決しようとする課題】
【０００６】
しかしながら、特許文献１に開示されたドアウェザーストリップは、中空リップにおける、ルーフに配置される部位にのみ上述のリップが設けられており、リアに配置される部位にはリップが設けられていない。ここで、ドアを閉じた場合に、ドアガラスは先ず、ドアウェザーストリップにおけるリアに配置される部位に当接する。それゆえ、ドアウェザーストリップの経年劣化が進んで弾性力が低下すると、リアに配置される部位にリップがないがゆえに、ドアを閉じた状態においてドアガラスが車内側に入り込んでしまい、外観の悪化、閉め切り不良が生じるという問題点があった。
【０００７】
また、特許文献２に開示されたリアドア用ウェザーストリップは、中空シール部にドアガラスの上端が弾接した状態においてリップ状の部位の先端に作用する反力が、リップ状シール部に直接作用しない。それゆえ、当該反力と相まってリップ状シール部がドアガラスを押圧する力がさほど大きくならず、リアドア用ウェザーストリップの経年劣化に起因するドアガラスの車内側への入り込みを十分に防止することができない可能性があるとの問題点があった。さらに、上述のドアウェザーストリップ、リアドア用ウェザーストリップともに、経年劣化によって設計上の位置にドアガラスを保持することができなくなり、車体開口部の周縁部のシール性・遮音性が低下する可能性があるという問題点もあった。
【０００８】
本発明は、前記の各問題点に鑑みてなされたものであり、その目的は、経年劣化に起因する、車体開口部の周縁部における外観の悪化、シール性・遮音性の低下を防止するウェザーストリップを実現することにある。
【課題を解決するための手段】
【０００９】
上記の課題を解決するために、本発明の一態様に係るウェザーストリップは、自動車におけるサッシレスドア開口部の周縁部に取付けられるウェザーストリップであって、上記周縁部に沿って固定される基底部と、上記サッシレスドア開口部がサッシレスドアによって閉じられたドア開口部閉状態において、上記周縁部とドアガラスとの間をシールするためのシールリップ部と、を備えており、上記基底部が上記周縁部に固定された状態において、車外側に向けて突出した突出部が形成されており、上記突出部は、上記ドア開口部閉状態において上記シールリップ部に当接することにより、上記シールリップ部を支持する。
【００１０】
上記構成によれば、本発明に係るウェザーストリップに形成された突出部は、ドア開口部閉状態においてシールリップ部に当接することにより当該シールリップ部を支持する。したがって、ドアを閉じた場合におけるドアガラスの車内側への入り込みが、シールリップ部に生じる反力のみならず、突出部によるシールリップ部を介したドアガラスの支持によっても規制される。それゆえ、経年劣化によりシールリップ部に生じる反力が低下してもなお、突出部によるドアガラスの支持によって上述の入り込みが規制できることから、経年劣化に起因する、ドア開口部の周縁部における外観の悪化を防止することができる。
【００１１】
また、上記構成によれば、ドア開口部閉状態において、シールリップ部に生じる反力のみならず、突出部によるシールリップ部を介したドアガラスの支持によっても当該ドアガラスの位置が設計上の位置に保持される。したがって、経年劣化によりシールリップ部に生じる反力が低下してもなお、突出部によるドアガラスの支持によって当該ドアガラスを設計上の位置に保持できる。それゆえ、経年劣化に起因するドアガラスの保持位置の変動による、車体開口部の周縁部におけるシール性・遮音性の低下を防止することができる。
【００１２】
また、上記の課題を解決するために、本発明の一態様に係るウェザーストリップにおいて、上記突出部は、上記シールリップ部よりも固い弾性体で形成されていることが好ましい。
【００１３】
上記構成によれば、突出部は、本発明に係るウェザーストリップのシールリップ部よりも、外部から力が加わった場合における撓み・変形の程度が小さい。したがって、突出部は、本発明に係るウェザーストリップが経年劣化した場合でも、シールリップ部と比べて大きく撓んだり変形したりすることがない。それゆえ、突出部をシールリップ部と同じ弾性体で成形した場合に比べて、経年劣化に起因する突出部のシールリップ部を支持する力の低下が低減し、突出部によってドアガラスの車内側への入り込みをより確実に規制することができる。
【００１４】
また、上記の課題を解決するために、本発明の一態様に係るウェザーストリップにおいて、上記突出部の先端には、上記ドア開口部閉状態において上記シールリップ部に弾性的に当接する先端リップ部が形成されていることが好ましい。
【００１５】
上記構成によれば、ドア開口部閉状態において、撓んだ状態の先端リップ部がドアガラスと突出部との間に介在することとなる。したがって、例えばドアを閉じた瞬間においては、撓んだ状態の先端リップ部が、突出部のドアガラスへの突き当りに対するクッションの役割を果たす。また、走行中のドアガラスのばたつきに対してもクッションの役割を果たす。それゆえ、ドアを閉じた瞬間等において、周縁部付近に生じる衝撃を和らげることができる。
【００１６】
また、上記の課題を解決するために、本発明の一態様に係るウェザーストリップにおいて、上記ドア開口部閉状態において、上記シールリップ部の先端および上記先端リップ部の先端が、ともにドアガラスの進入方向を向いていることが好ましい。
【００１７】
上記構成によれば、ドア開口部閉状態において、シールリップ部の先端および先端リップ部の先端がともにドアガラスの進入方向を向いている。したがって、例えばドアガラスと、ピラー部位におけるリア側の端部に設けられたシールリップ部との隙間から車内側に浸入した雨水等が、先端リップ部によってフロント側に案内されることを防ぐことができる。それゆえ、上述した雨水等がドア開口部から室内に浸入することを効果的に防止することができ、シール性がより向上したウェザーストリップを実現することができる。
【００１８】
また、上記の課題を解決するために、本発明の一態様に係るウェザーストリップにおいて、上記突出部の背面が、車体のボディに当接していることが好ましい。
【００１９】
上記構成によれば、突出部の背面が車体側に当接しているため、突出部がドアガラスから受けた力をそのまま車体に伝達することができる。これにより、ドアガラスの車体外方向の位置決めを確実に行うことができる。
【発明の効果】
【００２０】
本発明の一態様に係るウェザーストリップは、経年劣化に起因する、車体開口部の周縁部における外観の悪化、シール性・遮音性の低下を防止することができるという効果を奏する。
【図面の簡単な説明】
【００２１】
【図１】（ａ）は、本発明の一実施形態に係るウェザーストリップが取付けられた自動車の外観形状を示す側面図である。（ｂ）は、（ａ）に示す自動車におけるフロント側のドア開口部周辺の概略構成を示す斜視図である。
【図２】（ａ）は、図１の（ｂ）に示すウェザーストリップのＡ−Ａ線矢視断面図である。（ｂ）は、ドア閉時における、ピラー部位周辺の概略構成を示す断面図である。
【図３】（ａ）は、図１の（ｂ）に示すウェザーストリップのＢ−Ｂ線矢視断面図である。（ｂ）は、ドア閉時における、ルーフ部位周辺の概略構成を示す断面図である。
【図４】（ａ）および（ｂ）は、従来のウェザーストリップを用いた場合において、ドアガラスが設計上の位置よりも車内側に入り込んだ状態を示す断面図である。
【図５】（ａ）および（ｂ）は、本発明の他の実施形態に係るウェザーストリップの概略構成を示す断面図である。
【発明を実施するための形態】
【００２２】
＜ウェザーストリップの取付け例＞
先ず、図１を参照して、本発明に係るウェザーストリップが取付けられた自動車における、ドア開口部周辺の構造について説明する。
【００２３】
図１の（ａ）および（ｂ）に示すように、ハードトップ車（自動車）１００のフロント側のドア開口部（サッシレスドア開口部）１０１の周縁部１０２には、当該周縁部１０２とフロントドアガラス（ドアガラス）１０７Ｇとの間をシールするウェザーストリップ１が取付けられている。具体的には、フロントピラー（ピラー）１０３の下端部からルーフサイド１０６を経由してセンターピラー（ピラー）１０４の下端部までの車体側の領域に、ウェザーストリップ１が取付けられている。
【００２４】
より詳細には、周縁部１０２とは、ベルトラインＢＬ（サッシレスドアのドアパネルとドアガラスとの境界線付近）より上部にてフロントドアガラス１０７Ｇの外周縁がドア閉時に直接当接するフロント側のドア開口部１０１の周縁部１０２を指す。
【００２５】
なお、「ドア閉時」とは、ドア開口部１０１がフロントドア（サッシレスドア）１０７によって閉じられたドア開口部閉状態のことを指す。以下、ドア開口部閉状態を「ドア閉時」と略記する。
【００２６】
また、図１の（ｂ）に示すように、ウェザーストリップ１における第１型成形部１ａおよび第１押出成形部１ｂが一体化して、フロントピラー１０３およびルーフサイド１０６をシールする部位を形成している。また、ウェザーストリップ１における第２型成形部１ｃおよび第２押出成形部１ｄが一体化して、センターピラー１０４をシールする部位を形成している。さらに、第１押出成形部１ｂおよび第２押出成形部１ｄは、周縁部１０２におけるセンターピラー１０４とルーフサイド１０６との連結箇所付近の領域に配置される、略Ｌ字形状の第３型成形部１ｅと一体化することにより連結している。
【００２７】
ウェザーストリップ１における、フロントピラー１０３およびルーフサイド１０６をシールする部位については、先ず、第１押出成形部１ｂを通常の押出機などを用いて押出成形する。次に、第１押出成形部１ｂの端部を金型にセットして、インジェクション成型機またはトランスファー成型機を使用して第１型成形部１ａを金型成形する。これにより、ウェザーストリップ１における第１型成形部１ａと第１押出成形部１ｂとが一体化して成形される。ウェザーストリップ１におけるセンターピラー１０４をシールする部位についても、上述の方法と同様の方法によって、ウェザーストリップ１における第２型成形部１ｃと第２押出成形部１ｄとが一体化して成形される。
【００２８】
最後に、第１押出成形部１ｂにおける第１型成形部１ａが形成されていない方の端部、および第２押出成形部１ｄにおける第２型成形部１ｃが形成されていない方の端部を金型にセットし、インジェクション成型機等を使用して第３型成形部１ｅを金型成形する。これにより、第１押出成形部１ｂおよび第２押出成形部１ｄが第３型成形部１ｅと一体化してウェザーストリップ１が形成される。
【００２９】
ウェザーストリップ１を構成する各部位は、スポンジ状のゴムによって形成されている。ゴムの材料としては、例えば、ＥＰＤＭ（エチレン−プロピレン−ジエン共重合体）を用いることができる。但し、成形材料として、ＩＲ（イソプレンゴム）、ＣＲ（クロロプレンゴム）、熱可塑性エストラマー（オレフィン系またはスチレン系熱可塑性エストラマー）、軟質のポリ塩化ビニル等、他のゴム材料ないしゴム様弾性を有する他の弾性材料を用いてもよい。また、部分的に、若しくは全体をソリッド状の材料で形成してもよい。
【００３０】
なお、本発明に係るウェザーストリップは、本実施形態で説明するハードトップ車１００の代わりに、ルーフが開口可能なコンバーチブル車への適用も可能である。換言すれば、本発明に係るウェザーストリップの取付け対象となる自動車は、サッシレスドア型自動車であればどのような種類の自動車であってもよい。
【００３１】
＜ウェザーストリップの構造＞
次に、図２および図３を参照して、ウェザーストリップ１の構造について説明する。なお、図２の（ａ）および（ｂ）は、ウェザーストリップ１の第２押出成形部１ｄ、フロントドアガラス１０７Ｇ、ホルダー１０８ａ、リンク１０９およびカバーパネル１１０の断面を示しており、紙面上側が車外側に、紙面下側が車内側にそれぞれ対応している。
【００３２】
また、図３の（ａ）および（ｂ）は、ウェザーストリップ１の第１押出成形部１ｂにおけるルーフサイド１０６をシールする部位、ルーフサイド１０６、フロントドアガラス１０７Ｇおよびホルダー１０８ｂの断面を示しており、紙面右側が車外側に、紙面左側が車内側にそれぞれ対応している。
【００３３】
図２の（ａ）および（ｂ）に示すように、第２押出成形部１ｄは、ピラー部位１０ａ、ピラー側中空リップ部１１、第１シールリップ部（シールリップ部）１２、ピラー側突出部（突出部）１３および第２シールリップ部１４で形成されている。
【００３４】
なお、図示しないものの、ウェザーストリップ１の第１押出成形部１ｂにおけるフロントピラー１０３をシールする部位については、後述するルーフ部位１０ｂ、ルーフ側中空リップ部２１、ルーフ側シールリップ部２２、ルーフ側突出部２３および中空シール部２４で形成されている。
【００３５】
ピラー部位１０ａは、フロント側のドア開口部１０１の周縁部１０２における、センターピラー１０４に対応する領域に沿って固定される（ピラーに配置される）部位である。また、（i）第２押出成形部１ｄのピラー部位１０ａ、（ii）第１押出成形部１ｂにおけるフロントピラー１０３をシールする部位に形成されているルーフ部位１０ｂで、周縁部１０２の全体に沿って固定される基底部１０（不図示）を形成する。
【００３６】
ピラー部位１０ａは、センターピラー１０４に取付けられたリンク１０９にネジ１１１によって止着される、断面略Ｌ字形状のホルダー１０８ａに固定される。具体的には、ホルダー１０８ａにおけるフロント側の先端が断面コ字形状に折り曲げられており、当該コ字形状の部位にピラー部位１０ａの第１嵌合部１０ａ−１が嵌合する。また、ホルダー１０８ａにおけるフロントドアガラス１０７Ｇと対向する面に、ピラー部位１０ａに形成された凸部１０ａ−２の先端が当接する。
【００３７】
ホルダー１０８ａにおける車内外方向に延伸している面には、当該ホルダー１０８ａの長手方向に沿って延伸している断面凸形状の被係止部が設けられており、この被係止部に、ピラー部位１０ａに形成された断面くの字形状の第１係止部１０ａ−３の先端を係止する。また、ホルダー１０８ａにおけるリア側の先端に、ピラー部位１０ａの第２嵌合部１０ａ−４が嵌合する。さらに、カバーパネル１１０における車内側の面に設けられた、当該カバーパネル１１０の長手方向に沿って延伸している断面凸形状の被係止部に、ピラー部位１０ａに形成された第２係止部１０ａ−５の先端を係止する。
【００３８】
ピラー側中空リップ部１１は、ピラー部位１０ａの長手方向に沿って当該ピラー部位１０ａにおけるフロント側の端部に設けられている、中空部が形成された部位である。また、中空部を形成するピラー側中空リップ部１１の周壁が薄肉になっていることから、ピラー側中空リップ部１１は、ドア閉時には柔軟に撓む。したがって、フロントドアガラス１０７Ｇを閉じた瞬間や、走行中のフロントドアガラス１０７Ｇのばたつきによって周縁部１０２付近に生じる衝撃を吸収するクッションの役割を果たすとともに、ピラー側中空リップ部１１の周壁が遮音壁としても機能する。
【００３９】
第１シールリップ部１２は、図２の（ａ）に示すように、ピラー部位１０ａがホルダー１０８ａに固定された状態において、ピラー側中空リップ部１１の頂部付近から車外側に向けて延伸しているヒレ形状の部位である。また、第１シールリップ部１２は、ピラー部位１０ａの長手方向に沿って設けられている。第１シールリップ部１２は、図２の（ｂ）に示すように、ドア閉時においてフロントドアガラス１０７Ｇの車内側の面に当接することにより、周縁部１０２におけるセンターピラー１０４に対応する領域と、フロントドアガラス１０７Ｇとの間をシールする。
【００４０】
ピラー側突出部１３は、図２の（ａ）に示すように、ピラー部位１０ａがホルダー１０８ａ（換言すれば、周縁部１０２）に固定された状態において、ピラー部位１０ａから車外側に向けて突出している、ピラー部位１０ａの長手方向に沿って設けられたヒレ形状の部位である。また、ドア閉時においてピラー側突出部１３自体が撓まないように、ピラー側突出部１３の先端付近から根元付近にかけて、徐々に肉厚になっている。さらに、ピラー側突出部１３の先端には、同じくヒレ形状のピラー側先端リップ部（先端リップ部）１３ａが形成されている。図２の（ｂ）に示すように、ドア閉時においては、ピラー側先端リップ部１３ａが撓んだ状態で第１シールリップ部１２に弾性的に当接することにより、当該ピラー側先端リップ部１３ａおよびピラー側突出部１３が一体となって第１シールリップ部１２を支持する。ここで、ピラー側突出部１３の背面はハードトップ車１００の車体のボディに当接することから、ピラー側突出部１３がフロントドアガラス１０７Ｇから受けた力をそのまま車体に伝達することができる。
【００４１】
図２の（ａ）に示すように、第１シールリップ部１２の延伸方向は、ピラー側先端リップ部１３ａの延伸方向と略同一（鉛直上方向よりも若干リア側寄り）となっている。したがって、ドア閉時においては、図２の（ｂ）に示すように、第１シールリップ部１２の先端およびピラー側先端リップ部１３ａの先端がともにフロントドアガラス１０７Ｇの進入方向を向くことになる。このように、ドア閉時においてピラー側先端リップ部１３ａの先端がフロントドアガラス１０７Ｇの進入方向を向くように当該ピラー側先端リップ部１３ａの延伸方向を設計することで、例えば、フロントドアガラス１０７Ｇと後述する第２シールリップ部１４との隙間から車内側に浸入した雨水等が、ピラー側先端リップ部１３ａによってフロント側に案内されることを防ぐことができる。なお、第１シールリップ部１２の延伸方向が、ピラー側先端リップ部１３ａの延伸方向と略同一であることは必須ではない。
【００４２】
第２シールリップ部１４は、図２の（ａ）に示すように、ピラー部位１０ａにおけるリア側の端部に形成されているヒレ形状の部位であり、その先端がピラー側突出部１３を向くように、第２シールリップ部１４の端部が湾曲している。また、第２シールリップ部１４は、ピラー部位１０ａの長手方向に沿って設けられている。第２シールリップ部１４は、図２の（ｂ）に示すように、ドア閉時においてフロントドアガラス１０７Ｇのリア側の側面に当接することにより、周縁部１０２におけるセンターピラー１０４に対応する領域と、フロントドアガラス１０７Ｇとの間をシールする。
【００４３】
また、第２押出成形部１ｄ、および第１押出成形部１ｂにおけるフロントピラー１０３をシールする部位については、図３の（ｂ）に示すように、中空シール部２４、ルーフ側突出部２３およびルーフ側中空リップ部２１の周壁によって車外の音を遮音する（図中の矢印参照）。一方、従来のウェザーストリップ５０におけるピラーをシールする部位については、ピラー側突出部１３が形成されておらず、ピラー側中空シール部５１の周壁とピラー側中空リップ部５２の周壁とで車外の音を遮音する（図４の（ａ）参照）。したがって、本発明の一実施形態に係るウェザーストリップ１の方が従来のウェザーストリップ５０よりも遮音のための壁が１枚多い。それゆえ、本発明の一実施形態に係るウェザーストリップ１は、フロントピラー１０３およびセンターピラー１０４をシールする部位において遮音性の向上が図られている。
【００４４】
なお、ピラー側中空リップ部１１、第１シールリップ部１２、ピラー側先端リップ部１３ａおよび第２シールリップ部１４については、各リップ部の機能上柔軟に撓むことのできる材料で形成されているのが好ましい。したがって、これらのリップ部の成形材料としては、例えば比重０．５〜０．６５相当のＥＰＤＭスポンジを用いるのが好ましい。また、ピラー側突出部１３については、経年劣化に起因する、第１シールリップ部１２を支持する力の低下を低減させるべく、ソリッド状の弾性材料（弾性体）で形成されているのが好ましい。したがって、ピラー側突出部１３の成形材料としては、例えば硬度Ｈｓ５０〜７０相当のＥＰＤＭソリッドを用いるのが好ましい。
【００４５】
次に、図３の（ａ）および（ｂ）に示すように、第１押出成形部１ｂにおけるルーフサイド１０６をシールする部位は、ルーフ部位１０ｂ、ルーフ側中空リップ部２１、ルーフ側シールリップ部（シールリップ部）２２、ルーフ側突出部（突出部）２３および中空シール部２４で形成されている。
【００４６】
ルーフ部位１０ｂは、フロント側のドア開口部１０１の周縁部１０２における、ルーフサイド１０６に対応する領域に沿って固定される（ルーフサイドに配置される）部位である。ルーフ部位１０ｂは、ルーフサイド１０６のボディ側壁１０６ｂにネジ１１１によって止着される、断面略Ｌ字形状のホルダー１０８ｂに固定される。
【００４７】
具体的には、ホルダー１０８ｂにおける車内側の先端が断面コ字形状に折り曲げられており、当該コ字形状の部位にルーフ部位１０ｂの第１嵌合部１０ｂ−１が嵌合する。また、ホルダー１０８ｂにおけるフロントドアガラス１０７Ｇと対向する面に、ルーフ部位１０ｂにおける凸部１０ｂ−２の先端が当接する。また、当該フロントドアガラス１０７Ｇと対向する面には、ホルダー１０８ｂの長手方向に沿って延伸している断面くの字形状の被係止部が設けられており、この被係止部に、ルーフ部位１０ｂに形成された係止部１０ｂ−３の先端を係止する。
【００４８】
また、ホルダー１０８ｂにおける車内外方向に延伸している面に、ルーフ部位１０ｂに形成されたヒレ形状の当接部１０ｂ−４の先端が当接する。さらに、ホルダー１０８ｂにおける車外側の先端には、当該ホルダー１０８ｂの長手方向に沿って延伸している被嵌合部が設けられており、この被嵌合部に、ルーフ部位１０ｂの第２嵌合部１０ｂ−５が嵌合する。
【００４９】
ルーフ側中空リップ部２１は、ルーフ部位１０ｂにおける鉛直下側の端部に設けられている、中空部が形成された部位であり、当該中空部を形成するルーフ側中空リップ部２１の周壁は薄肉になっている。また、ルーフ側中空リップ部２１は、ルーフ部位１０ｂの長手方向に沿って設けられている。
【００５０】
ルーフ側シールリップ部２２は、図３の（ａ）に示すように、ルーフ部位１０ｂがホルダー１０８ｂに固定された状態において、ルーフ側中空リップ部２１の頂部付近から車外側に向けて延伸している、ルーフ部位１０ｂの長手方向に沿って設けられたヒレ形状の部位である。
【００５１】
ルーフ側突出部２３は、図３の（ａ）に示すように、ルーフ部位１０ｂがホルダー１０８ｂ（換言すれば、周縁部１０２）に固定された状態において、ルーフ部位１０ｂから車外側に向けて突出しているヒレ形状の部位である。また、ルーフ側突出部２３は、ルーフ部位１０ｂの長手方向に沿って設けられている。ルーフ側突出部２３の先端付近から根元付近にかけて徐々に肉厚になっている点は、ピラー側突出部１３と同様である。また、ルーフ側突出部２３の先端には、同じくヒレ形状のルーフ側先端リップ部（先端リップ部）２３ａが形成されており、ルーフ側シールリップ部２２の延伸方向は、ルーフ側先端リップ部２３ａの延伸方向と略同一となっている。
【００５２】
なお、ルーフ側中空リップ部２１、ルーフ側シールリップ部２２、ルーフ側突出部２３およびルーフ側先端リップ部２３ａの各機能・役割については、ピラー側中空リップ部１１、第１シールリップ部１２、ピラー側突出部１３およびピラー側先端リップ部１３ａと同様である。
【００５３】
中空シール部２４は、図３の（ａ）に示すように、ルーフ部位１０ｂの長手方向に沿って当該ルーフ部位１０ｂにおける鉛直上側の端部に設けられている、中空部が形成された部位である。ルーフ側中空リップ部２１と同様に、中空部を形成する中空シール部２４の周壁は薄肉になっている。また、図３の（ａ）に示すように、ドア閉時においては、フロントドアガラス１０７Ｇの端面が中空シール部２４の周壁における鉛直下側の部位に当接するとともに、フロントドアガラス１０７Ｇの端部が中空シール部２４の周壁における鉛直下側の部位を突き上げる。このような状態になることにより、中空シール部２４は、周縁部１０２におけるルーフサイド１０６に対応する領域と、フロントドアガラス１０７Ｇとの間をシールする。
【００５４】
ルーフ側中空リップ部２１、ルーフ側シールリップ部２２、ルーフ側突出部２３、ルーフ側先端リップ部２３ａおよび中空シール部２４の各成形材料については、上述したピラー側中空リップ部１１等の各成形材料と同様である。
【００５５】
また、第１押出成形部１ｂにおけるルーフサイド１０６をシールする部位については、図３の（ｂ）に示すように、中空シール部２４、ルーフ側突出部２３およびルーフ側中空リップ部２１の周壁によって車外の音を遮音する（図中の矢印参照）。一方、従来のウェザーストリップ５０におけるルーフサイドをシールする部位については、ルーフ側突出部２３が形成されておらず、ルーフ側中空シール部６１の周壁とルーフ側中空リップ部６２の周壁とで車外の音を遮音する（図４の（ｂ）参照）。したがって、本発明の一実施形態に係るウェザーストリップ１の方が従来のウェザーストリップ５０よりも遮音のための壁が１枚多い。それゆえ、本発明の一実施形態に係るウェザーストリップ１は、ルーフサイドをシールする部位においても遮音性の向上が図られている。
【００５６】
＜ドア閉時における周縁部付近の外観＞
次に、図４を参照して、ドア閉時における周縁部１０２付近の外観について、従来のウェザーストリップ５０対比しつつ説明する。
【００５７】
図４の（ａ）に示すように、従来のウェザーストリップ５０におけるフロントピラー・センターピラーをシールする部位には、ピラー側突出部１３のような、ドア閉時においてピラー側シールリップ部５３を支持する部位が形成されていない。したがって、ハードトップ車１００に従来のウェザーストリップ５０を取付けた場合、経年劣化によってフロントドアガラス１０７Ｇが車内側に入り込む現象が生じていた（図中の実線部分参照）。それゆえ、すれ違い隙を考慮した場合、ドア閉時に形成される見切り幅が広くなり、結果、周縁部１０２におけるセンターピラー１０４に対応する領域の外観が損なわれてしまうという問題があった。
【００５８】
なお、「すれ違い隙」とは、フロントドア１０７の開閉動作時に形成される、フロントドアガラス１０７Ｇのピラー側端面１０７Ｇ−１における車内側の端点と、基底部５４におけるピラー側中空シール部５１の中空部を形成している面との隙間を指す（図中の一点鎖線で示された幅参照）。「すれ違い隙」は、フロントドア１０７の開閉動作時に、フロントドアガラス１０７Ｇのピラー側端部１０７Ｇ−２が基底部５４に引っ掛からないようにするために設けられる。また、「見切り幅」とは、ドア閉時に形成される、フロントドアガラス１０７Ｇのピラー側端面１０７Ｇ−１と基底部５４におけるピラー側の底面との隙間を指す（図中の実線で示された幅参照）。
【００５９】
一方、本発明の一実施形態に係るウェザーストリップ１のピラー部位１０ａには、ピラー側突出部１３（およびピラー側先端リップ部１３ａ）が形成されていることから、経年劣化によってもフロントドアガラス１０７Ｇが車内側にあまり入り込まない。したがって、従来のウェザーストリップ５０と同じ期間使用した場合、図４の（ａ）に示すように、ドア閉時におけるフロントドアガラス１０７Ｇの位置が、従来のウェザーストリップ５０を使用した場合よりも車外側に保持される（図中の一点鎖線部分参照）。
【００６０】
それゆえ、見切り幅を従来のウェザーストリップ５０を取付ける場合より狭くしても、なお十分なすれ違い隙を確保できることから、見切り幅を狭く設計することができ、経年劣化に起因する周縁部１０２付近の外観の悪化を防止することができる。
【００６１】
また、図４の（ｂ）に示すように、従来のウェザーストリップ５０におけるルーフサイドをシールする部位においても、ルーフ側突出部２３のような、ドア閉時においてルーフ側シールリップ部６３を支持する部位が形成されていない。したがって、ハードトップ車１００に従来のウェザーストリップ５０を取付けた場合、経年劣化によって、フロントドアガラス１０７Ｇの鉛直上側の端部についても車内側に入り込む現象が生じていた（図中の実線部分参照）。結果、周縁部１０２におけるルーフサイド１０６に対応する領域の外観が損なわれてしまうとともに、ルーフ側中空シール部６１とフロントドアガラス１０７Ｇの鉛直上側の端部１０７Ｇ−３との接触領域におけるシール性・遮音性が低下するという問題があった。
【００６２】
一方、本発明の一実施形態に係るウェザーストリップ１のルーフ部位１０ｂには、ルーフ側突出部２３（およびルーフ側先端リップ部２３ａ）が形成されていることから、経年劣化によっても、フロントドアガラス１０７Ｇの鉛直上側の端部１０７Ｇ−３の位置が、ほぼ設計上の位置に維持される（図中の一点鎖線部分参照）。それゆえ、経年劣化に起因する周縁部１０２付近の外観の悪化を防止することができるとともに、周縁部１０２におけるルーフサイド１０６に対応する領域のシール性・遮音性の低下を防止することができる。
【００６３】
＜ウェザーストリップのバリエーション＞
本発明に係るウェザーストリップの実施形態としては、上述のウェザーストリップ１のみならず、様々なバリエーションが想定される。この点について、図５の（ａ）および（ｂ）を用いて説明する。
【００６４】
先ず、本発明に係るウェザーストリップは、図５の（ａ）に示すように、ピラー部位１０ａにおいて、ピラー側突出部１３の先端にピラー側先端リップ部１３ａが形成されていない構造のウェザーストリップ２を実施形態として含む。この場合、ドア閉時においてピラー側突出部１３の先端が第１シールリップ部１２に当接することにより、ピラー側突出部１３が第１シールリップ部１２を直接支持することとなる。
【００６５】
なお図示しないものの、本発明に係るウェザーストリップは、ルーフ部位１０ｂにおいて、ルーフ側突出部２３の先端にルーフ側先端リップ部２３ａが形成されていない構造であってもよい。
【００６６】
次に、本発明に係るウェザーストリップは、図５の（ｂ）に示すように、ピラー部位１０ａにおいて、ピラー側突出部３３の頂部付近にピラー側先端リップ部１３ａが形成されていないとともに、当該ピラー側突出部３３に中空部が形成されている構造のウェザーストリップ３を実施形態として含む。この場合、ドア閉時においてピラー側突出部３３の頂部が第１シールリップ部１２に当接することにより、ピラー側突出部３３が第１シールリップ部１２を直接支持することとなる。
【００６７】
このように、中空形状のピラー側突出部３３を設けることにより、ヒレ形状のピラー側突出部１３よりも遮音壁として機能する部位が増えることになる。それゆえ、例えば中空部を形成しているピラー側突出部３３の周壁を肉厚にすることにより、遮音性のさらなる向上を図ることができる。
【００６８】
なお図示しないものの、本発明に係るウェザーストリップは、ルーフ部位１０ｂにおいて、中空形状のルーフ側突出部の頂部付近にルーフ側先端リップ部２３ａが形成されていない構造であってもよい。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７０】
１、２、３：ウェザーストリップ    １０：基底部    １０ａ：ピラー部位
１０ｂ：ルーフ部位    １２：第１シールリップ部（シールリップ部）
１３、３３：ピラー側突出部（突出部）
１３ａ：ピラー側先端リップ部（先端リップ部）
２２：ルーフ側シールリップ部（シールリップ部）
２３：ルーフ側突出部（突出部）    ２３ａ：ルーフ側先端リップ部（先端リップ部）
１００：ハードトップ車（自動車）    １０１：ドア開口部（サッシレスドア開口部）
１０２：周縁部    １０３：フロントピラー（ピラー）
１０４：センターピラー（ピラー）    １０６：ルーフサイド
１０７：フロントドア（サッシレスドア）
１０７Ｇ：フロントドアガラス（ドアガラス）
【図１】
2018001828.tif 000003
【図２】
2018001828.tif 000004
【図３】
2018001828.tif 000005
【図４】
2018001828.tif 000006
【図５】
2018001828.tif 000007